(57)【要約】【課題】広告を表示しつつ容器の持ち運びに影響を与え難いようにする。【解決手段】広告用スタンドは、容器２に入っている販売商品に関する情報を表示するため、箱状のスタンド本体１を備える。スタンド本体１は、上面に容器２の胴部２０が挿通される挿通孔１６が設けられる。挿通孔１６は、周縁が容器２の胴部２０の外周に接するように形成され、容器２が容易に抜け出さないように胴部２０を支持する。スタンド本体１は、胴部２０のみ収納可能とする。【選択図】図１
2015222354.tif 000002
【特許請求の範囲】
【請求項１】
容器に入れて販売される商品に関する情報を表示するための広告用スタンドであって、前記容器は、中に前記商品を収納可能な筒状に形成され、前記容器の口部は、前記容器の上面に前記商品を出し入れ可能に形成され、
箱状のスタンド本体を備え、前記スタンド本体は、上面に前記容器が挿通される挿通孔が設けられ、前記挿通孔は、周縁が前記容器の外周に接するように形成されていることを特徴とする広告用スタンド。
【請求項２】
前記スタンド本体は、前記容器の外周面の一部と対向する面に前記外周面の一部を前記スタンド本体の外に臨ませるラベル窓が設けられ、前記ラベル窓は、前記挿通孔と一部が繋がるように形成され、前記挿通孔との境界部の両端に凸部が設けられていることを特徴とする請求項１記載の広告用スタンド。
【請求項３】
前記スタンド本体において、前記ラベル窓が設けられる面は、前方に向かって下降する面となるように形成されていることを特徴とする請求項２記載の広告用スタンド。
【請求項４】
前記スタンド本体の内部に前記容器を支持する支持片が設けられていることを特徴とする請求項２または３に記載の広告用スタンド。
【発明の詳細な説明】
【技術分野】
【０００１】
本発明は、広告用スタンドに関するものである。
【背景技術】
【０００２】
従来、ボトル等の容器に入れて販売される商品、例えば、アルコール飲料や化粧品の宣伝広告を行う目的で、商品名、懸賞案内等、各種広告を表示した首掛けラベルが提供されている（例えば、特許文献１参照）。
【０００３】
前記首掛けラベルは、容器の上部から挿入可能な孔部を有する第１シートと、第２シートとで構成される。前記第２シートは、前記第１シートの孔部を含んで第１シートの上面に重ねられ且つ前記第１シートの一方向両側部において第１シートに接着される。
【０００４】
そして、前記第１シートは、前記孔部が容器の上部位置に合わせられ、両側部が把持されて押し上げられることによって容器に装着される。前記第２シートは、前記孔部の上方に重ねられ、容器の上部によって押し上げられて伸張する。
【０００５】
上記首掛けラベルは、第１シートの孔部を容器の上部位置に合わせ、両側部が把持され押し上げられことによって容器に装着される。前記孔部の上方に重なっている第２シートが、容器の上部によって押し上げられて伸張するため、容器の上部が、首掛けラベルの第２シートによって覆われる。上記首掛けラベルは、前記第２シートの上面及び側面に広告が表示される。
【先行技術文献】
【特許文献】
【０００６】
【特許文献１】特開２００９−２２３０７７号公報
【発明の概要】
【発明が解決しようとする課題】
【０００７】
しかしながら、特許文献１記載の首掛けラベルは、容器の上部から首部に掛かけて広告用のシートで覆ってしまうので、容器の上部や首部を手で持つことが難しいという問題がある。また、容器の上部や首部を手で持つ代わりに、容器の胴部を持とうとしても、例えば、陳列棚に隙間なく陳列されていた場合等、容器の胴部を持つことが困難な状況も考えられる。
【０００８】
本発明は、上記事由に鑑みて為されたものであり、広告を表示しつつ容器の持ち運びに影響を与え難い広告用スタンドを提供することを目的とする。
【課題を解決するための手段】
【０００９】
請求項１の発明は、容器に入れて販売される商品に関する情報を表示するための広告用スタンドであって、前記容器は、中に前記商品を収納可能な筒状に形成され、前記容器の口部は、前記容器の上面に前記商品を出し入れ可能に形成され、箱状のスタンド本体を備え、前記スタンド本体は、上面に前記容器が挿通される挿通孔が設けられ、前記挿通孔は、周縁が前記容器の外周に接するように形成されていることを特徴とする。
【００１０】
請求項２の発明は、請求項１の発明において、前記容器の外周面の一部と対向する面に前記外周面の一部を前記スタンド本体の外に臨ませるラベル窓が設けられ、前記ラベル窓は、前記挿通孔と一部が繋がるように形成され、前記挿通孔との境界部の両端に凸部が設けられていることを特徴とする。
【００１１】
請求項３の発明は、請求項２の発明において、前記スタンド本体において、前記ラベル窓が設けられる面は、前方に向かって下降する面となるように形成されていることを特徴とする。
【００１２】
請求項４の発明は、請求項２または３の発明において、前記スタンド本体の内部に前記容器を支持する支持片が設けられていることを特徴とする。
【発明の効果】
【００１３】
請求項１の発明によれば、容器はスタンド本体に容器全体が覆われているわけではないので、スタンド本体に商品に関する情報（広告）を表示させつつ、容器の持ち運びに影響を与え難い。
【００１４】
請求項２の発明によれば、スタンド本体にラベル窓が設けられているので、容器の外周面の一部を外に臨ませることができる。
【００１５】
請求項３の発明によれば、スタンド本体のラベル窓が設けられている面の広告表示が見える範囲が広がる。
【００１６】
請求項４の発明によれば、スタンド本体に収納された容器が抜け難く、スタンド本体に安定して収納できる。
【図面の簡単な説明】
【００１７】
【図１】本発明に係る広告用スタンドの実施形態を示す斜視図である。
【図２】同上を示し、容器を収納した状態の斜視図である。
【図３】同上の平面図である。
【図４】同上を示し、（Ａ）は正面図、（Ｂ）は平面図、（Ｃ）は右側面図である。
【図５】同上を示し、（Ａ）は背面図、（Ｂ）は底面図である。
【図６】同上の展開図である。
【発明を実施するための形態】
【００１８】
以下、本発明に係る広告用スタンドの実施形態について、図面を参照して詳細に説明する。
【００１９】
最初に、実施形態の広告用スタンドに収納される容器２について、図２を参照して説明する。ただし、本発明の広告用スタンドが使用される容器は、実施形態の容器２に限定されない。
【００２０】
容器２は、ガラス、アルミ、又は合成樹脂等の材料で形成され、胴部２０と、口部２１と、首部２２を備える。
【００２１】
胴部２０は、商品、例えば飲料や化粧品等が中に収納可能な円筒形状に形成される。口部２１は、胴部２０の上に設けられた円筒形状、且つ胴部２０の外径よりも小さい外径に形成され、商品を出し入れ可能に形成される。また、口部２１は、合成樹脂等の材料によって形成される着脱可能な蓋２１１で閉じられる。首部２２は、胴部２０の上に胴部２０と口部２１とを繋げるように略円錐台に形成される。
【００２２】
胴部２０は、外周の一部または全体に商品に関する情報、例えば商品名等の記載や絵等が施された表示ラベル２３が貼り付けられる。
【００２３】
実施形態の広告用スタンドの構造について、図１〜図５を参照して説明する。以下の説明（組立方法の説明を除く）では、図１において、広告用スタンドの上下、前後、左右の各方向を規定する。
【００２４】
広告用スタンドは、容器２を収納することを目的としたスタンド本体１を備える。
【００２５】
スタンド本体１は、印刷又は手描き等が可能なシート材、例えば、紙、又はポリエチレンテレフタレートフィルム、ポリプロピレンフィルム等のプラスチックフィルムによって、左右から見て、円筒が軸方向に１／４に分割された立体形状（以下、１／４円筒形と略す）に形成され、前壁１０と、右側壁１１と、左側壁１２と、後壁１３と、底壁１４とから構成される。
【００２６】
前壁１０は、前方に向かって下降する曲面形状に形成され、挿入孔１６と、ラベル窓１７とが設けられる。挿入孔１６は、容器２が挿入される孔であって、前壁１０の上部に、胴部２０の外径とほぼ同じ内径となる円形状に形成される。ラベル窓１７は、容器２の表示ラベル２３をスタンド本体１の外に臨ませるための孔であって、前壁１０の下部に挿通孔１６より小さく、且つ挿通孔１６と一部が繋がるように形成される。また、ラベル窓１７は、挿通孔１６との境界部の両端に１対の凸部１７１が設けられる。凸部１７１は、胴部２０と接触し、胴部２０との間に発生する摩擦抵抗によって、スタンド本体１の内部に収納された容器２が抜け難くなるように形成される。
【００２７】
右側壁１１及び左側壁１２は、扇形に形成される。また、後壁１３及び底壁１４は、矩形に形成される。さらに、スタンド本体１内において、底壁１４の近傍に一対の支持片１４１，１４２が設けられる。支持片１４１，１４２は、略台形であって、一方の底辺が底壁１４の左右両辺とそれぞれ接続され、もう片方の底辺（底辺１４３）が弧状に凹んでいる。支持片１４１，１４２は、底辺１４３が胴部２０に接することで胴部２０を左右両側から挟むように支持する。したがって、支持片１４１，１４２は、胴部２０がスタンド本体１に挿入され底壁１４に当たるまで押し入れられた場合に、底辺１４３が胴部２０と接触し、胴部２０の側面を挟み込み、胴部２０との間に発生した摩擦抵抗によって、容器２が容易に抜け出せない構造に形成される。
【００２８】
本実施形態の広告用スタンドは、スタンド本体１の外面、特に前壁１０の外面には、商品に関する情報、例えば、商品名等の記載や絵等が印刷等によって表示される。さらに、右側壁１１、左側壁１２、及び後壁１３の外面にも、商品に関する情報が印刷等によって表示される。
【００２９】
そして、実施形態の広告用スタンドは、容器２の胴部２０のみを内部に収納しているので、広告を表示しつつ、人が容器２の首部２２や口部２１を持って運ぶことが容易である。また、表示ラベル２３を外に臨ませることができ、容器２をスタンド本体１内に収納した場合、容器２が抜け難く、スタンド本体１に安定して固定することができる。
【００３０】
実施形態の広告スタンドの組立方法について、図６を参照して説明する。以下の組立方法の説明では、図６において、展開図の前後、左右の各方向を規定する。
【００３１】
スタンド本体１を作製するにあたっては、シート材に展開図を描き、展開図の輪部に沿ってシート材をカットする。シート材から切り取られた部分が境界線で折り曲げられることによって、スタンド本体１が組み立てられる。
【００３２】
展開図には、後壁１３を中心に、後壁１３の右辺に右側壁１１、左辺に左側壁１２、前方の辺に前壁１０、後方の辺に底壁１４が配置される。なお、前壁１０の左右幅は、後壁１３よりも長く形成される。
【００３３】
支持片１４１には、右側壁１１の後側の辺１１３を底辺とした第１支持片１４１０と、底壁１４の右辺１４７を底辺とした第２支持片１４１１とが設けられる。第１支持片１４１０と第２支持片１４１１の隣り合う辺同士が接続され、その境界線に折り曲げ線１４５が設けられる。また、支持片１４２には、左側壁１２の後側の辺１２３を底辺とした第１支持片１４２０と、底壁１４の左辺１４８を底辺とした第２支持片１４２１とが設けられる。第１支持片１４２０と第２支持片１４２１の隣り合う辺同士が接続され、その境界線に折り曲げ線１４６が設けられる。
【００３４】
前壁１０には、後壁１３と接続する境界線付近且つ左右両辺内側に１対の係止孔１０１と、後壁１３と対向する辺付近且つ左右両辺内側に１対の係止孔１０２とが設けられる。なお、係止孔１０１，１０２は、後壁１３及び底壁１４の各両側辺と直線状になるように設けられる。
【００３５】
右側壁１１には、前壁１０の右辺と結合される弧状の辺に、前壁１０の右辺内側に設けられた係止孔１０１，１０２に挿入される半円形の係止片１１１，１１２が設けられる。また、左側壁１２には、前壁１０の左辺と結合される弧状の辺に、前壁１０の左辺内側に設けられた係止孔１０１，１０２に挿通される半円形の係止片１２１，１２２が設けられる。
【００３６】
前壁１０には、後壁１３と接続する辺と対向する辺に、底壁１４に設けられた係止孔１４２に挿入する突出部１５が設けられる。突出部１５には、略台形に形成され、両脚に一対の突出片１５１が設けられる。
【００３７】
シート材から切り取られた部品（展開図が描かれた部分。以下、同じ）を用いて、実施形態の広告用スタンドは以下の手順で組み立てられる。
【００３８】
なお、挿通孔１６、ラベル窓１７、係止孔１０１，１０２、及び係止孔１４２は、予め開口されていることが好ましい。
【００３９】
最初に、作業者は、右側壁１１と左側壁１２とが後壁１３と接続する境界線を山折りに折り曲げる。
【００４０】
次に、作業者は、前壁１０と後壁１３とが接続する境界線を山折りに折り曲げながら、前壁１０の右辺内側の係止孔１０１に係止片１１１を、左辺内側の係止孔１０１に係止片１２１をそれぞれ挿通させる。同様に、作業者は、前壁１０の右辺内側の係止孔１０２に係止片１１２を、左辺内側の係止孔１０２に係止片１２２をそれぞれ挿通させる。
【００４１】
さらに、作業者は、折り曲げ線１４５、１４６を谷折りに折り曲げつつ、支持片１４１０と支持片１４１１とが重なるように、且つ支持片１４２０と支持片１４２１とが重ねるように折り曲げ、後壁１３と底壁１４との境界線を山折りに折り曲げる。
【００４２】
最後に、作業者は、突出部１５の先端を、底壁１４の外側から係止孔１４２に突出片１５１がスタンド本体１の内部に入るまで挿通する。このようにして、スタンド本体１が組み立てられる。
【００４３】
ところで、スタンド本体１の形状は、本実施形態のものに限定されない。例えば、スタンド本体１は、直方体の箱形に形成されても良い。また、例えば、スタンド本体１は、円筒形に形成されても良い。つまり、容器２の胴部２０の形状によって決定される挿入孔１６がスタンド本体１の上面に設けられ、表示ラベル２３がスタンド本体１の外に臨むことができる構造であれば、スタンド本体１の形状は限定されない。
【００４４】
さらに、ラベル窓１７は、表示ラベル２３を臨ませるための孔であるから、その形状は容器２の形状に合わせて異なっても良い。
【符号の説明】
【００４５】
１  スタンド本体
２  容器
１０  前壁
１６  挿入孔
１７  ラベル窓
２０  胴部
１４２  支持片
１７１  凸部
【図１】
2015222354.tif 000003
【図２】
2015222354.tif 000004
【図３】
2015222354.tif 000005
【図４】
2015222354.tif 000006
【図５】
2015222354.tif 000007
【図６】
2015222354.tif 000008